(57)【要約】失禁物品を現場でごみ処理するための装置は基礎ハウジングを有し、基礎ハウジングには、ドラム状のハウジング（２１）からなる装置（２０）が配置され、前記ドラム状ハウジング（２１）は、上方装入開口（２２）と、ハウジング（２１）の内部空間（２３）に配置された、固定しているかまたは水平回転軸線（２４）を中心として片側でまたは交互に第一の駆動装置（２５）により回転させることができる円筒状ドラム（３０）を有し、前記ドラムはごみ処理すべき材料用の装入開口（３２）と、両方のドラム開口（３０ａ，３０ｂ） 端面側で閉鎖する２つの壁板（３３，３４） とを有し、そのうち第一の壁板（３３）はドラムハウジングと結合されかつ第二の壁板（３４）は第二の駆動装置（３５）によりドラム回転軸線長手方向に変位可能なまたは変位可能にかつその中心軸線を中心として回転可能に形成され、その場合両方の端面側のドラム壁板（３４，３５） はそれらの互いに向かい合っている壁面（３４ａ，３４ｂ） にドラム内部空間（３１）の中に達する切断、分離および粉砕ナイフ（４０，１４０）を担持している。さらに、洗濯水用、衛生液用および化学薬品用の入口（４１，４２，４３）ならびにごみ処理すべき材料の吸い込まれた固形成分用の排出導管が設けられている。
2004514557.tif 000002
【特許請求の範囲】
【請求項１】
特に不織布、吸収性のセルローズ層、場合によってはゲルまたは吸収性のグラニュールが埋設されたセルローズ層、合成物質製の片側の外側ケースおよびベルクロ／粘着テープ、ゴムバンドまたは同様なものからなる、閉鎖兼保持手段としての、失禁物品を現場でごみ処理するための装置において、装置（１０）は好ましくはデスク形ハウジング部分（１２）を備えた基礎ハウジング（１１）からなり、前記基礎ハウジングには
− ドラム状ハウジング（２１）からなる装置（２０）が設けられ、前記ドラム状ハウジングは上方の装入開口（２２）を有しかつハウジング（２１）の内部空間（２３）に配置された、固定しているかまたは水平回転軸線（２４）を中心として一方の側へまたは交互に第一の駆動装置（２５）により回転させることができる円筒状ドラム（３０）を有し、前記ドラムはごみ処理すべき材料用の装入開口（３２）と、両方のドラム開口（３０ａ，３０ｂ） を端面側で閉鎖する壁板（３３，３４） とを有し、そのうち第一の壁板（３３）はドラムハウジングと結合されかつ第二の壁板（３４）は第二の駆動装置（３５）によりドラム回転軸線長手方向に変位可能なまたは変位可能にかつその中心軸線を中心として回転可能に形成され、その場合両方の端面側のドラム壁板（３４，３５） はそれらの互いに向き合っている壁面（３３ａ，３４ａ） にドラム内部空間（３１）の中へ達する切断、分離および粉砕ナイフ（４０，１４０）を担持しており、その場合ドラム（３０）を支えるハウジング（２１）には洗濯水用の、臭気を抑えるための衛生液用の、および粉末状のまたは液状の化学薬品、例えば殺菌媒体用のそれぞれ１つの入口（４１，４２，４３）または１つの共通の入口（４１）が設けられ、その場合ドラム（３０）がその第一の固定壁板（３３）の領域で第一の駆動装置（２５）と接続された中空円筒状のハブまたは接続片（３６）と結合されており、
− ドラム状ハウジング（２１）の底部に配置された排出接続片（２６）を介してドラム内部空間（３１）と連結されたポンプ（５０）が設けられ、このポンプにより洗濯水が洗濯水に溶解されたごみ処理すべき材料の成分と共にドラム内部空間（３１）から吸いだされて排出され、
− ドラム（３０）に残っている、洗濯水により溶解されてないごみ処理すべき材料の成分を乾燥するためにドラムハウジング（２１）の下方の加熱板（６０）が設けられ、
− ドラム内部空間（３１）に残されている、乾燥されたごみ処理すべき材料の、水に溶けない成分をハブ（３６）により吸いこむためおよび回転するドラム壁（３０ｂ） の孔状の切り通し（３７）によりドラム（３０）の内部空間（３１）から空気を吸い込んで、内側のドラム壁面に付着する、ごみ処理すべき材料の固形成分を溶解して除去するための真空クリーナ状装置（７０）が設けられ、
− 真空クリーナ状装置（７０）と連結された収集容器（７１）が、ごみ処理すべき材料の吸い込まれた固形成分を受ける箱、袋またはサックを有して配置され、その場合洗濯水のための、衛生液のためのおよび化学薬品のための供給の制御、ドラム回転および交互のドラム往復運動のための第一の駆動装置（２５）およびドラム（３０）の変位可能な壁板（３４）の水平方向の変位運動のための第二の駆動装置（３５）の制御、およびドラム内部空間（３１）からのごみ処理すべき材料の固形成分のための吸収装置（７０）の制御およびプログラム切り替え装置（８０）におけるポンプ（５０）の制御が組み合わされるかまたは自由にプログラム可能な制御により制御可能であることを特徴とする装置。
【請求項２】
ドラム（３０）のハブまたは接続片（３６）には、洗濯液、衛生液および化学薬品を同時にまたは単独で供給するための供給接続片（４４）が設けられていることを特徴とする請求項１に記載の装置。
【請求項３】
洗濯水のための供給導管に、洗濯水をほぼ９５℃に加熱するための加熱装置（４７）、例えばフローヒータが配置されていることを特徴とする請求項１または２に記載の装置。
【請求項４】
第二の変位可能な壁板（３４）の変位運動のための第二の駆動軸（３５）がドラム（３０）の端面にスピンドル駆動部として形成されていることを特徴とする請求項１から３までのうちのいずれか一つに記載の装置。
【請求項５】
ごみ処理すべき材料を含むドラム（３０）において種々の切断および分割効果を達成するために、ドラム（３０）の両方の端面側の壁板（３３，３４） の向かい合っている壁面（３３ａ，３４ａ） に切断、分離および粉砕ナイフ（４０，１４０）が向かい合ってかつ互いに異なる間隔を置いて配置されていることを特徴とする請求項１から４までのうちのいずれか一つに記載の装置。
【請求項６】
ハウジング（２１）に固定配置されたドラム（３０）のドラムハウジングには、端面側でドラムと固定結合された壁板（３３）と、ドラム回転軸線長手方向（２４）に変位可能なかつドラム回転軸線長手方向（２４）を中心として回転駆動される端面側の壁板（３４）が、フラップ（１０１，１０２） により閉鎖可能な、ごみ処理すべき材料のための取り出し開口（１０３） を有して設けられ、ドラム（３０）を支えるハウジング（２１）が、閉鎖可能なドラム取り出し開口（１０３） と一致するかまたは一直線に並ぶ取り出し開口（１０４） を有し、前記取り出し開口はこれに接続する搬送圧縮スクリュウ（１０５） を有して、分離されたプラスチックまたはプラスチック粒子を排出することを特徴とする請求項１から５までのうちのいずれか一つに記載の装置。
【請求項７】
ハウジング（２１）に固定配置されたドラム（３０）のドラムハウジングには、端面側でドラムと固定結合された壁板（３３）が設けられかつドラム回転軸線長手方向（２４）に変位可能なおよびドラム回転軸線長手方向（２４）を中心として回転駆動される端面側の壁板（３４）がごみ処理すべき材料のための取り出し開口（１０３） を有して設けられ、ドラム（３０）支えるハウジング（２１）が、ドラム取り出し開口（１０３） と一致するかまたは一直線に並ぶフラップ（１０１′，１０２′） により閉鎖可能な取り出し開口（１０４） を有し、前記取り出し開口はこれに接続する搬送圧縮スクリュウ（１０５） を有して、分離されたプラスチックまたはプラスチック粒子を排出することを特徴とする請求項１から５までのうちのいずれか一つに記載の装置。
【請求項８】
ハウジング（２１）内でドラム（３０）が回転駆動されている場合に、ドラム（３０）のドラムハウジングの取り出し開口（１０３） とハウジング（２１）の取り出し開口（１０４） が互いに一直線に並ぶときに、制御部によりドラム（３０）の回転が終了されることを特徴とする請求項６または７に記載の装置。
【請求項９】
搬送圧縮スクリュウ（１０５） には、収集容器（１０７） に開口する加熱可能な排出導管（１０６） が接続していることを特徴とする請求項６から８までのうちのいずれか一つに記載の装置。
【請求項１０】
ドラム（３０）の端面側の壁板（３４）の前進および戻り運動がスピンドル状駆動部により行われることを特徴とする請求項１から９までのうちのいずれか一つに記載の装置。
【請求項１１】
ドラム（３０）の端面側の壁板（３４）の運動のための駆動軸（１１１） がドラム（３０）の内部空間（３１）を通って導かれ、その自由端（１１１ａ）が端面側の壁板（３３）に支承されていることを特徴とする請求項１から１０までのうちのいずれか一つに記載の装置。
【請求項１２】
ドラム（３０）の端面側の壁板（３３）がハウジング（２１）の側壁により形成され、その周りにドラム（３０）が配置されていることを特徴とする請求項１から１１までのうちのいずれか一つに記載の装置。
【請求項１３】
ドラム（３０）の端面側の壁板（３３）に、回転する、特に急速に回転するように駆動される円盤（１２１） が支承され、この円盤がドラム（３０）の内部空間（３１）の中へ方向づけられた切断、分離および粉砕ナイフ（２４０） を担持しており、その場合円盤（１２１） の回転が一方のまたは他方の回転方向に、好ましくはドラム（３０）の回転方向に対し反対方向に行われることを特徴とする請求項１から１２までのうちのいずれか一つに記載の装置。
【請求項１４】
特に不織布、吸収性のセルローズ層、場合によってはゲルまたは吸収性のグラニュールが埋設されたセルローズ層、合成物質製の片側の外側ケースおよびベルクロ／粘着テープ、ゴムバンドまたは同様なものからなる、閉鎖兼保持手段としての失禁物品を、請求項１から５までに記載のうちのいずれか１つの装置を使用することにより、現場でごみ処理するための方法において、
ａ）ごみ処理装置（１０）のドラム（３０）をごみ処理すべき材料で充満し、
ｂ）ほぼ９５℃に加熱された洗濯水、臭気を抑制するための衛生液および化学薬品でドラム（３０）を充満し、
ｃ）ドラム（３０）の回転運動を交互に制御し、
ｄ）ドラム（３０）の変位可能な端壁板（３４）の水平方向の往復変位により、ごみ処理すべき材料を粉砕すると同時に、ドラム内部空間の大きさを変え、したがってドラム内部空間のごみ処理すべき材料へのプレス圧力を変え、
ｅ）洗濯水に溶解されたごみ処理すべき材料の成分とともに洗濯水を排出し、
ｆ）ドラム往復運動と同時に、ドラム内部空間に残されたごみ処理すべき材料の水に溶けない成分を乾燥し、必要な場合に粒子を粉砕し、
ｇ）ごみ処理容器のドラム内部空間からごみ処理すべき材料の、乾燥した水に溶けない成分を吸収するかまたは排出し、
ｈ）ドラム壁の孔状の切り通しを通ってドラム内部空間から空気を吸い込みかつ同時に、ドラム内壁に付着するごみ処理すべき材料を連行（引き裂き効果）し、同時に変位可能なドラム壁板を固定ドラム壁板への方向に変位させながら、ドラム内部空間を縮小させ、同時に孔状の切り通しを通る空気の通過速度を増加させ、
ｉ）段階ｈ）で吸い込んだ空気を、ごみ処理すべき材料の粉砕された固形成分とともにさらに導き、そして空気と固形成分を分離するとともに引き続きごみ処理のためにまたは残余の貴重な物質のために固形成分を収集するかまたは残余の貴重な物質として相応する回路に供給する段階を含むことを特徴とする方法。
【発明の詳細な説明】
【０００１】
使用分野
本発明は、特に不織布、吸収性のセルローズ層、場合によってはゲルまたは吸収性のグラニュールが埋設されたセルローズ層、合成物質製の片側の外側ケースおよびベルクロ／粘着テープ、ゴムバンドまたは同様なものからなる、閉鎖兼保持手段としての失禁物品を現場でごみ処理するための方法および装置に関する。
【０００２】
ドイツ連邦共和国特許公開６９１２４１０７により、吸収性の衛生紙製品を、リサイクルするためにまたは再使用するために適している形状を有するそれらの成分にまたはその成分に分離するようにそのような製品を処理するための方法が知られており、その際製品は少なくともプラスチック、セルローズおよび超吸収性のポリマー（”ＳＡＰ“）固形物質破片を含み、その場合その方法は次の段階からなり、すなわち粉砕された形状の製品を水溶液の浴で処理して可溶性材料を溶解しかつＳＡＰを、その源が水様の媒体で抑制され、阻止されるかまたは逆にされるように処理し、そして少なくとも固形物質破片の少なくとも１つから可溶性材料の溶液を分離することを含む。
【０００３】
この方法を実施するために使用された装置は回転可能なかつ傾斜可能な、円筒状のドラムを含み、このドラムは、水溶液を含みまたは受けることができる第一の端部と第二の端部を有し、かつ水平位置から傾斜位置に傾斜可能であり、その傾斜位置では第二の端部が第一の端部よりいっそう低く存在し、その際第一の端部が製品をドラムの内部に入れるようにかつその中に製品を含むように形成され、その場合第二の端部はドラムから製品を送りだすための出口を有し、ドラムを水平な位置と傾斜した位置のうちの少なくとも１つの位置に回転させるためのさらなる手段と、ドラムを水平な位置から傾斜した位置に傾斜させるための手段を有し、その際吸収性の、衛生紙製品を処理するために、そのような紙製品を、リサイクルするのにまたは再使用するのに適しているそれらの成分またはその成分に分離し、しかも固形物質をドラム内の液体から分離するための手段であるドラムの内部にある攪拌機を用いて分離し、それによってドラム内の製品の粉砕をもたらす。この方法とこのために形成された装置で、超吸収性のポリマーを有する吸収性の、衛生紙製品を、そのような製品の若干の成分または全ての成分が、これらの成分のリサイクルまたは他の使用を容易にする形状に取り戻すことができるように処理できることが達成されなければならない。
【０００４】
さらに、ドイツ連邦共和国特許公開１９８５３５２０により衛生ガーゼをごみ処理するための方法と装置が知られている。衛生ガーゼの容積と重量を減らすために、かつ悪臭による厄介を取り除くために、衛生ガーゼが機械的な粉砕後衛生液と接触するようにもたらされ、その衛生液は、衛生ガーゼに含まれたゲル粒子を有するセルローズがそこに含まれた排泄物と共に溶解されるような量で、輸送できるトイレットに使用可能な衛生添加物を有する水を含む。使用された衛生液は下水道に搬出され、そのとき実質的にプラスチックからなる粉砕された衛生ガーゼの残っている残余が脱水後再循環される。
【０００５】
吸収性の衛生紙製品は、周知のように、液透過性材料製の不織布からなり、例えば適当な合成材料製の液透過性膜または綿製の織成製品からなるか、液透過性の裏層、澱粉ベース、織成織物またはゴム上の吸収可能なプラスチックフィルムおよび空気流でもたらされたセルローズ綿毛製のおよびまたは合成セルローズを含んで結合されたまたは結合されてないポリプロピレンフィラメント製の吸収性のまたは吸着性のコアからなるか、麻または他の吸着性の繊維材料からなる。コアは耐湿性の紙層または同様な性質を有する材料製のクレープ包装に包みこまれるかまたはくるまれている。コアの包装は通気性の、生物学的に分解可能な、臭気を抑制するまたは他の仕方で分解可能なまたは可溶性であることができる。コアは、ドイツ連邦共和国特許公開６９１２４１０７による超吸収性のポリマー（ＳＡＰ）材料製の材料からなることもできる。おむつや失禁製品は、再閉鎖可能な接着テープ接合板または同様な閉鎖機構のための感圧接着剤を利用している。また、これらの失禁製品には接着剤線のための感圧接着剤を設けて、例えばライニングの形態の固定物を婦人または男性の下着に固定することができる。吸収性の衛生紙製品の使用はなるほど実際的でありまたは必要でもある。しかしながら、そのごみ処理は沢山の問題を引き起こす。周知の方法によりかつ周知の装置によれば、そのような製品の若干の成分または全ての成分を、これらの成分のリサイクルまたは他の使用を容易にする形で回復させることができるように処理することができる。
課題、解決、利点
それ故、本発明は、失禁物品を高い切断効果と分散効果を用いながら個々の成分に分解し、それによって現場でごみ処理すべき材料の得られた粉砕された固形成分をリサイクルし、したがって全製品を経済的にごみ処理しまたは中央の産業処理設備に供給することができる、冒頭に述べた種類の方法と装置を提供することを課題の基礎とし、その際ごみ処理すべき材料の粉砕のためにおよび分離のために用いるべき力の減少を得なければならず、かつさらに高いエネルギーを消費せずに、ドラム内壁に付着するごみ処理すべき材料の固形物質成分または粉砕された固形成分を除去しなければならない。
【０００６】
この課題は、請求項１に記載の特徴を有する装置でおよび請求項６に記載の方法段階を有する方法で解決される。
【０００７】
失禁物品をごみ処理すべき本発明による装置は、好ましくはデスク形のハウジング部分が設けられた基礎ハウジングからなり、この基礎ハウジングには
− ドラム状ハウジングからなる装置が設けられ、前記ドラム状ハウジングは上方の装入開口を有しかつハウジングの内部空間に配置された、固定しているかまたは水平回転軸線を中心として一方の側へまたは交互に第一の駆動装置により回転させることができる円筒状ドラムを有し、前記ドラムはごみ処理すべき材料用の装入開口と、両方のドラム開口を端面側で閉鎖する壁板とを有し、そのうち第一の壁板はドラムハウジングと結合されかつ第二の壁板は第二の駆動装置によりドラム回転軸線長手方向に変位可能なまたは変位可能にかつその中心軸線を中心として回転可能に形成され、その場合両方の端面側のドラム壁板はそれらの互いに向き合っている壁面にドラム内部空間の中へ達する切断、分離および粉砕ナイフを担持しており、その場合ドラムを支えるハウジングには洗濯水用の、臭気を抑えるための衛生液用の、および粉末状のまたは液状の化学薬品、例えば殺菌媒体用のそれぞれ１つの入口または１つの共通の入口が設けられ、その場合ドラムがその第一の固定壁板の領域で第一の駆動装置と接続された中空円筒状のハブまたは接続片と結合されており、
− ドラム状ハウジングの底部に配置された排出接続片を介してドラム内部空間と連結されたポンプが設けられ、このポンプにより洗濯水が洗濯水に溶解されたごみ処理すべき材料の成分と共にドラム内部空間から吸いだされて排出され、
− ドラムに残っている、洗濯水により溶解されてないごみ処理すべき材料の成分を乾燥するためにドラムハウジングの下方の加熱板が設けられ、
− ドラム内部空間に残されている、乾燥されたごみ処理すべき材料の、水に溶けない成分をハブにより吸いこむためおよび回転するドラム壁の孔状の切り通しによりドラムの内部空間から空気を吸い込んで、内側のドラム壁面に付着する、ごみ処理すべき材料の固形成分を溶解して除去するための真空クリーナ状装置が設けられ、
− 真空クリーナ状装置と連結された収集容器が、ごみ処理すべき材料の吸い込まれた固形成分を受ける箱、袋またはサックを有して配置され、その場合洗濯水のための、衛生液のためのおよび化学薬品のための供給の制御、ドラム回転および交互のドラム往復運動のための第一の駆動装置およびドラムの変位可能な壁板の水平方向の変位運動のための第二の駆動装置の制御、およびドラム内部空間からのごみ処理すべき材料の固形成分のための吸収装置の制御およびプログラム切り替え装置におけるポンプの制御が組み合わされるかまたは自由にプログラム可能な制御により制御可能であることを特徴とする。
【０００８】
本発明による方法は、次の方法段階を含む。すなわち
ａ）ごみ処理装置のドラムをごみ処理すべき材料で充満し、
ｂ）ほぼ９５℃に加熱された洗濯水、臭気を抑制するための衛生液および化学薬品でドラムを充満し、
ｃ）ドラムの回転運動を交互に制御し、
ｄ）ドラムの変位可能な端壁板の水平方向の往復変位により、ごみ処理すべき材料を粉砕すると同時に、ドラム内部空間の大きさを変え、したがってドラム内部空間のごみ処理すべき材料へのプレス圧力を変え、
ｅ）洗濯水に溶解されたごみ処理すべき材料の成分とともに洗濯水を排出し、
ｆ）ドラム往復運動と同時に、ドラム内部空間に残されたごみ処理すべき材料の水に溶けない成分を乾燥し、必要な場合に粒子を粉砕し、
ｇ）ごみ処理容器のドラム内部空間からごみ処理すべき材料の、乾燥した水に溶けない成分を吸収するかまたは排出し、
ｈ）ドラム壁の孔状の切り通しを通ってドラム内部空間から空気を吸い込みかつ同時に、ドラム内壁に付着するごみ処理すべき材料を連行（引き裂き効果）し、同時に変位可能なドラム壁板を固定ドラム壁板への方向に変位させながら、ドラム内部空間を縮小させ、同時に孔状の切り通しを通る空気の通過速度を増加させ、
ｉ）段階ｈ）で吸い込んだ空気を、ごみ処理すべき材料の粉砕された固形成分とともにさらに導き、そして空気と固形成分を分離するとともに引き続きごみ処理のためにまたは残余の貴重な物質のために固形成分を収集するかまたは残余の貴重な物質として相応する回路に供給する段階を含むことを特徴とする。
【０００９】
本発明による装置でおよびこの装置を相応して使用した場合に、個々の得られた成分を、許容された限りにおいて、わきへ導き出すかまたは場合によってはペレット化できる可能性をもって失禁物品を経済的に現場でごみ処理することができる。ごみ処理すべき材料の粉砕過程中、ごみ処理装置のドラムの内部空間で処理すべき材料の大きさが所定のサイクルで拡大されかつ縮小されることにより、ドラムの内部空間のごみ処理すべき材料上に、ドラムの端面側の壁板の互いに協働するナイフによりごみ処理すべき材料の粉砕が補助されるプレス圧力が発生され、このために高い力またはエネルギーの消費を必要としない。洗濯水に溶解されたごみ処理すべき材料の成分と共に洗濯水を除去した後、何よりもまずドラムの内部空間にごみ処理すべき材料の粉砕された固形物質成分が残っており、これらの固形物質成分は同様に真空クリーナ装置によりドラムの内部空間から吸い出される。そのとき、ドラムの内壁面には、壁面に付着するごみ処理成分の固形物質粒子が残っており、これらの固形物質粒子はドラムの内部空間から空気を引き出すことによりドラム壁の孔状の切り通しを通って除去される。ドラムの内部空間から空気を吸い出すことにより、ごみ処理すべき材料の、ドラム壁面に付着するプラスチック粒子のための所謂引き裂き効果が発生する。ここでも、ドラムの内部空間の大きさが交互に変化することにより、空気通過速度がドラム壁の孔状の切り通しにより制御されるので、小さい内部空間で、容積流れが一定のときに高い空気通過速度が達成される。ごみ処理すべき材料のプラスチック粒子が空気と共に真空クリーナ状装置によりこの装置で吸い込まれて分離され、そのときこのようにして得られたごみ処理すべき材料の固形物質成分が袋状の装置に捉えられて、ごみ処理装置に供給される。
【００１０】
特別な利点は、再生された失禁物品の現場でのごみ処理にあり、その場合例えば老人ホーム、病院や児童保育所での監視的なごみ処理も可能である。プラスチックやセルローズのような残余の貴重な物質のペレット化も可能である。失禁物品の量が一人の量でも比較的多量でもごみ処理できる。さらに、最終製品から、例えばフィルタにより全ての固形物質を濾過することができ、それからその固形物質をペレット化することができる。全過程は温度が低いときにかつ温度が比較的高いときにも実施することができる。短時間の間その過程を７０℃以上の温度で実施して、ペレットの溶解を達成するのが有利である。装置の装備は手動でまたは機械的におよび自動的に、例えば搬送ベルトにより行うことができる。本発明の装置で達成される特別な利点は、貯蔵せずにかつ中間輸送せずに現場でのごみ処理ができることにある。
【００１１】
本発明の有利な構成は従属請求項の対象である。
【００１２】
本発明の別の有利な構成によれば、ハウジングに固定配置されたドラムのドラムハウジングには、端面側でドラムと固定結合された壁板と、ドラム回転軸線長手方向に変位可能なかつドラム回転軸線長手方向を中心として回転駆動される端面側の壁板が、フラップにより閉鎖可能なごみ処理すべき材料のための取り出し開口を有して設けられている。ドラムを支えるハウジングは、閉鎖可能なドラム取り出し開口と一致するかまたは一直線に並ぶ取り出し開口を有し、さらに前記取り出し開口に接続する搬送圧縮スクリュウを有して、分離されたプラスチックまたはプラスチック粒子を排出する。
【００１３】
さらに、本発明は、ハウジングに固定配置されたドラムのドラムハウジングには、端面側でドラムと固定結合された壁板と、ドラム回転軸線長手方向に変位可能なかつドラム回転軸線長手方向を中心として回転駆動される端面側の壁板がごみ処理すべき材料のための取り出し開口を有して設けられ、その際ドラムを支えるハウジングは、ドラム取り出し開口と一致するかまたは一直線に並ぶ、フラップにより閉鎖可能な取り出し開口を有し、さらに前記取り出し開口に接続する搬送スクリュウを有して、分離されたプラスチックまたはプラスチック粒子を排出する。
【００１４】
ドラムがハウジング内で回転駆動される場合に、ドラムのドラムハウジングの取り出し開口とハウジングの取り出し開口が互いに一直線に並ぶときに、制御部によりドラムの回転が終了される。
発明の詳細な記載と発明を実施するための最良の仕方
図１と３によれば、失禁物品をごみ処理するための装置１０は、デスク形上方ハウジング部分１２を有する基礎ハウジング１１からなる。基礎ハウジング１１自体は、図面には示されていない壁板をかぶせてあるフレーム１３により形成される。基礎ハウジング１１のフレーム１３には、上方装入開口２２を有するドラム状ハウジング２１からなる装置２０が配置されている。ハウジング２１の底部２７には、排出接続片２６が設けられている。ドラム状ハウジング２１の内部空間が２３で示されている。ドラム状ハウジング２１の内部空間２３には、円筒状ドラム３０が配置され、このドラムは水平回転軸線２４を中心として駆動装置２５により交互に回転させることができる。駆動装置２５は、円筒状ドラム３０が所定のサイクルで一方向にも他の方向にも回転するように制御可能である。駆動装置２５は駆動モータ２５′として形成されるのが好ましい。この駆動モータ２５′はベルト駆動を介してハブまたは接続片３６と結合しており、この接続片３６はドラム３０と一端側で結合され、接続片を介してドラム３０が回転される。接続片３６は中空シリンダとして形成されている（図５）。ドラム３０には、ごみ処理すべき材料のための装入開口３２が設けられている。
【００１５】
ドラム３０は円筒状中空体として形成されかつ端面側が開放して形成されている。両方のドラム開口３０ａ、３０ｂが壁板３３、３４で閉鎖され、そのうち壁板３３が固定状態にすなわちドラム３０のハウジングと固定結合されかつ壁板３４は回転軸線長手方向に変位可能に形成されている。ドラム３０の回転壁には、孔状の切り通し３７が設けられている。
【００１６】
ドラム３０の内部空間３１内で矢印方向Ｘに変位可能な壁板３４は駆動装置３５と連結しており、この駆動装置はスピンドル駆動部として形成されるのが好ましいが、ドラム壁板３４の変位運動を液圧で行うことができる可能性もある（図５）。
【００１７】
両方のドラム壁板３４、３５はそれらの互いに向かい合っている壁面３３ａ、３４ａに、ドラム内部空間３１の中に達する切断、分離および粉砕ナイフ４０、１４０を担持している。両方の端面側の壁板３４、３５のうち、壁板３４はドラム３０の回転運動に関与していないが、ドラム３０のハウジングと結合されている他方の壁板３３はドラム３０と共に回転する。切断、分離および粉砕ナイフ４０、１４０はそのとき互いに噛み合う。ドラム３０の端面側の壁板３４の変位可能性により、ドラム３０の内部空間３１の大きさが可変であり、したがってその都度の粉砕程度に適合させることができる。
【００１８】
ドラム３０を支えるハウジング２１には、洗濯水用の供給部４１、臭気を抑制するための衛生液用の供給部４２および例えば粉末状または液体状態の殺菌媒体のような化学薬品用の供給部４３が設けられ、その際供給を個々に行うかまたはハブ３６の内部空間に導かれている供給接続片４４を介して、その内部空間がさらにドラム３０の内部空間３１と連結している状態で行うことができる可能性もある（図５）。貯蔵容器４５が化学薬品を受け入れかつ貯蔵容器４６が衛生液を受け入れる（図２）。
【００１９】
洗濯水、衛生液および化学薬品の計量添加が相次いで行われるのが有利である。洗濯水用の供給導管４１に、加熱装置４７、例えばフローヒータが洗濯水をほぼ９５℃に加熱するために配置され（図２）、その場合加熱装置４７を、ドラム３０を支えるハウジング２１の範囲に配置することもできる。
【００２０】
さらに、基礎ハウジング１１のフレーム１３にポンプ５０が配置されている。このポンプ５０は、ごみ処理装置１０のドラム状ハウジング２１の底部に設けられている排出接続片２６と連結しており、この排出接続片を介して洗濯水が、洗濯水に溶解されたごみ処理すべき材料の成分と共にドラム内部空間３１から、したがってドラム状ハウジング２１から、例えば吸い込みポンプにより吸い込まれる。
【００２１】
ドラムハウジング２１の下方に、ドラム３０に残された、洗濯水により溶解されなかったごみ処理すべき材料の成分を乾燥するために加熱板６０が配置されている（図５）。
【００２２】
ドラム内部空間３１に残されている、乾燥された、水に溶解できないごみ処理すべき材料の成分をハブ３６により吸収するために、真空クリーナ状の装置７０が設けられており、この装置を用いて、同時に、内部のドラム壁面に付着するごみ処理すべき材料の固形成分をはぎ取って除去するために空気がドラム３０の内部空間３１から回転するドラム壁３０ｂの孔状の切り通し３７を通って吸い込まれる。装置７０はモータ７２を有し、このモータを介して、ドラム内部空間３１に存在する材料が吸収される。真空クリーナ状装置７０と連結された収集容器７１がごみ処理すべき材料の吸収された固形成分を受け入れるのに役立ち、その際これらの成分は、収集容器７１に配置されたバッグまたは袋に受け入れられる。１つまたは複数のハブ３６の内部空間はホースライン３９を経て収集容器７１と連結している（図１）。
【００２３】
洗濯水の、衛生液のおよび化学薬品のための供給の制御、ドラム回転のためのおよび交互のドラム往復運動のための駆動装置２５の制御とドラム３０の変位可能な壁板３４の水平な変位運動のための駆動装置３５の制御、およびドラム内部空間３１からのごみ処理すべき材料の固形成分のためのおよびポンプ５０のための吸収装置７０の制御が、プログラム切り替え装置８０においてまとめられ、そのとき自由にプログラム可能な制御を使用することもできる。
【００２４】
失禁物品をごみ処理するための本発明による装置１０は次のように使用される。
【００２５】
装置１０は、ほぼ慣用の洗濯機のような機能を有する。ドラム３０は洗濯水と衛生液でならびに化学薬品で満たされ、その際後者は殺菌する性質を有する。洗濯液をドラム３０の中へまたはドラム３０を支えるハウジング２１の中へ供給すると、装置１０に入る前にフローヒータ４１を通り、それと共に洗濯液が９５℃に加熱される。洗濯水、衛生液および化学薬品の供給がハブ３６を通ってドラム３０の内部空間３１で行われる。洗濯液、衛生液および化学薬品の供給前に、装入開口２１または３２を経てごみ処理すべき材料が投与される。それから、回転されるドラム３０の運転が行われ、すなわち右回転と左回転が交互に行われ、しかも所定の時間間隔で行われる。ドラム３０のこの運動中、ドラム３０の端面側の変位可能な壁板がドラム３０の内部空間３１の中へ、したがって固定壁板３３の方向に変位される。壁板３４の変位は同様に所定のリズムでしかも一度は固定壁板の方向にかつ一度は固定壁板３３の反対方向に行われるので、ドラム３０の内部空間３１内のごみ処理すべき材料が圧縮されかつ交互に解放される。変位可能な壁板が所定のリズムで絶え間のない運動をすることにより、ごみ処理すべき材料が圧縮され、その上にそれから再びごみ処理相が始まりそして再び変位可能な壁板３４が前進運動すると、再びごみ処理すべき材料が圧縮される。そのときに、両方の壁板３３、３４の互いに向かい合っている壁面の切断、分離および粉砕ナイフ４０、１４０によるごみ処理すべき材料を分散することおよび粉砕することおよびばらばらにすることが行われる。変位可能な壁板３４は、切断、分離および粉砕ナイフ４０、１４０が互いに噛み合うような程度に固定壁板３３に対して変位される。それにより、ごみ処理すべき材料の種々の粉砕効果と切断効果が達成される。
【００２６】
切断、分離および粉砕ナイフ４０、１４０の互いの配置が異なっているので、それぞれ２つのナイフ４０、１４０が小さい間隔で互いに協働し、これに対して２つの他方の協働するナイフ４０、１４０はいっそう大きな間隔で互いに動いて活動する。この手段により、装置の力が実質的に減らされ、それ故小さな力とエネルギーの消費で、ごみ処理すべき材料の粉砕と分散が可能である。
【００２７】
粉砕過程中、ごみ処理すべき材料は、これが水に溶解可能な成分を含む限りでは、溶解され、そのときセルローズ割分が繊維に分解する。ごみ処理すべき材料の全ての水溶性材料と物質が洗濯水に溶解された後、洗濯水がこれに溶解された物質と共にポンプ５０により汲み出される。
【００２８】
それ故、ごみ処理すべき材料の固形成分のみがドラム３０の内部空間３１に残っており、その場合ごみ処理すべき材料のこの固形成分がとりもなおさずすべてのプラスチック部分、粘着テープ、ゴム帯等である。ドラム３０の回転する壁に孔状の切り通し３７が設けられているので、これを通って洗濯水がこれに溶解されたごみ処理すべき材料の割分で汲み出される。
【００２９】
ハウジング２１の下方に配置された加熱板６０の形態の加熱装置６５が運転され、かつこの加熱装置６５から発生した熱がドラム３０の内部空間３１内の固形成分を乾燥させるために用いられる。加熱装置６５は、洗濯水中のごみ処理すべき材料の溶解可能な成分の溶解過程の間も、水温が下がったときに利用される。好ましくは、溶解過程のために水温を９５℃に保たなければならない。
【００３０】
加熱装置６５により、ハウジング２１が下から加熱されるので、ドラム３０内の空気が、したがってドラム内部空間３１に存在するごみ処理すべき材料の成分も同様に加熱される。この加熱過程中、ドラム３０が回転運動させられ、すなわち交互に一度は一方の方向にかつ一度は他方の方向に回転されるので、ドラム３０の内壁面の固形成分が溶解することができる。ハブ３６を介して、残余がドラムから吸い込まれる。ドラムはさらに運動しているままであり、すなわちさらに回転駆動される。この過程でも、ドラム３０の内部空間３１の大きさが変位可能な壁板３４の変位により変えられるので、空気がもっぱらドラム３０の壁の孔状切り通し３７を通って流れることができる。ドラム３０の内部空間３１からの空気の吸い込みは真空クリーナ状装置７０により行われる。空気がこの装置によりドラム３０の壁の孔状の切り通し３７を通って吸い出され、その際同時に、達成されるもぎ離し効果により、ドラム３０の内壁面に付着している、特に孔状の切り通し３７の領域に存在するごみ処理すべき材料の成分が連行される。この手段により、ドラム壁の孔状の切り通し３７の詰まりが避けられる。壁板３４の相応する変位によりドラム３０の内部空間３１が非常に小さく保たれる場合に、特に高い空気通過速度の程度が達成される。これにより、ドラム３０の内壁面に付着していて場合によっては孔状の切り通し３７を閉鎖するごみ処理すべき材料の全ての成分が空気と共に吸い込まれることになる。ドラム３０の内部空間３１を小さくすることにより、孔状の切り通し３７を通る空気通過速度が増加し、それによって、孔状の切り通し３７の領域に付着するごみ処理すべき材料のすべての成分が一緒に排出されることが確保される。装置１０のドラム３０またはハウジング２１から吸収された空気が真空クリーナ状装置７０において固形成分から分離される。固形成分は収集容器または収集袋に受けられる。吸収過程中、さらにドラム３０が交互に回転され、しかも全ての固形粒子が吸い出されるまで回転される。吸い出された固形成分は固形残余粒子として受け容器を介してプラスチックごみとしてごみ処理される。
【００３１】
図６に示した実施の形態では、ドラム３０がハウジング２１に固定配置されている。端面側の壁板３３は装置のハウジング２１と結合されている。それに対して、端面側の壁板３４は矢印方向Ｘ１に回転駆動される。さらに、壁板３４は矢印方向Ｘに動かされる。ドラム３０のドラムハウジングは下方領域に取り出し開口１０３有し、この取り出し開口を経てごみ処理すべき材料がドラム３０の内部空間３１から取り出される。この場合には、ごみ処理すべき材料の吸収が行われない。取り出し開口３０は装置の運転状態で回動可能なフラップ１０１、１０２により閉鎖される。フラップ１０１、１０２の回動は矢印方向Ｘ３に行われる。フラップの代わりに、例えばスライダ等のような他の閉鎖手段も使用できる。フラップ１０１、１０２のための駆動手段として、液圧、電動駆動またはその他の適当な駆動装置を使用できる。
【００３２】
ハウジング２１の壁は同様に取り出し開口１０３を有し、この取り出し開口はドラム３０の取り出し開口１０３と一致しているかまたはこれと一直線に並んでいる。
【００３３】
ハウジング２１のこの取り出し開口１０４には、場合によっては、漏斗状の接続片１０８を挿入して搬送圧縮スクリュウ１０５が接続してあり、この搬送圧縮スクリュウ１０５は駆動装置１０９介して駆動されかつ同時に矢印方向Ｘ４に前進運動すると、ごみ処理すべき材料のプラスチック粒子を圧縮し、かつ圧縮されたプラスチック粒子を管状排出路１０６に供給する。管状排出路１０６は搬送圧縮スクリュウ１０５の直径に対していっそう小さい直径を有するのが好ましい。排出路１０６により送られたペレットの形態のプラスチック粒子が排出路１０６で軟化される。このために、排出路１０６は加熱される。管状の排出路１０６は加熱螺旋１１５により囲まれているのが好ましい。しかしながら、他の加熱装置や温める装置を使用することもできる。プラスチック粒子またはプラスチックペレットを軟化する狙いは、そうしないときにプラスチックについて存在する回復を減らすかまたは完全に除去することである。それから、そのように処理されたプラスチック粒子は受け容器１０７に到達する。粉砕過程中、フラップ１０１、１０２が閉じられ、そしてそれから粉砕過程の終了後ドラム内容物を排出するために開けられる。プラスチック粒子のほかに、セルローズ粒子／セルローズと一緒のプラスチック粒子を同じように処理することもできる。
【００３４】
図７によるごみ処理装置は、前述したかつ図６に示したごみ処理装置とほぼ同じに構成されている。但し、図６によるドラム３０の取り出し開口１０３のためのフラップ閉鎖装置がドラム３０を支えるハウジング２１の取り出し開口１０４の領域に配置されている点が相違する。フラップはここでは１０１′、１０２′で示されている。
【００３５】
図６と７によるごみ処理装置では、固定ドラム３０と、水平変位可能性のほかに、ドラム回転軸線長手方向２４を中心として回転駆動される、変位可能な端面側の壁板３４とから出発しているが、ドラム３０を回転駆動する可能性もある。そのようなごみ処理装置は、前述したかつ図６と７に示したごみ処理装置に対応して構成される。但し、ドラム３０がそのハウジング２１に固定配置されないで、その回転軸線２４を中心として回転駆動される点でのみ相違する。ハウジング２１内で回転駆動されるドラム３０では、ドラム３０のドラムハウジングの取り出し開口１０３とハウジング２１の取り出し開口１０４が互いに一直線に並んでいるときに、図面に示されていない制御装置を用いてドラム３０の回転が終了される。この状態が得られると、そのときフラップ１０１、１０２が開かれるので、ドラム内容物が搬送圧縮スクリュウ１０５の中へ導かれるかまたは吸い込まれることができる。
【００３６】
図８によるごみ処理装置では、ドラム３０の端面側の壁板３４の前進運動と戻り運動がスピンドル状駆動部１１１により行われる。ドラム３０の端面側の壁板３４の運動のためにスピンドル状に形成された駆動軸１１１はドラム３０の内部空間３１を通って導かれかつその自由端１１１ａで端面側の壁板３３に支承されている。壁板３４を回転させるための駆動部は１１６にかつ水平変位のための駆動部は１１７に配置されている。
【００３７】
固定ドラム３０を有するごみ処理装置が作動する場合には、そのとき図９により、ドラム３０の端面側の壁板３３を、ドラム３０が配置されているハウジング２１の側壁により形成することができる。したがって、壁板３３はハウジング２１の端面側の壁に一体化されかつ切断、分離および粉砕ナイフ４０を担持している。
【００３８】
スピンドル駆動部１１１で、ドラム３０の内部空間３１内の壁板３４の水平運動が達成される。スピンドル駆動部をドラム３０の内部空間３１を通る軸として導きかつその自由端１１１ａを端面側の壁板３３に支承すると、安定した、ねじりに強い構造的なドラム３０の構成が達成される。なぜなら、スピンドル状駆動軸１１１が両端で支承され、すなわち一度は壁板３３に支承されかつ壁板３４に対向しているハウジング２１の壁に支承されているからである。
【００３９】
図１０による実施の形態では、ドラム３０の端面側の壁板３３に、回転する、特に急速に回転駆動される円盤１２１が支承され、この円盤はドラム３０の内部空間３１に向けられた切断、分離および粉砕ナイフ２４０を担持している。ナイフ２４０を担持する円盤１２１は駆動部１２５により矢印方向Ｘ５に回転するように駆動可能である。その場合、回転方向は随意に選ぶことができる。いずれにせよ、ナイフ２４０を担持する円盤１２１の回転はドラム３０の回転方向に対し反対でなければならない。しかしながら、ドラム３０は固定であることもできる。ナイフ２４０を担持する、急速に回転駆動される円盤１２１の使用の利点は、ごみ処理装置の運転中スピンドル状駆動軸１１１の周りに存在し得る、組み合わされかつ捩じられたプラスチック粒子および糸の引き裂きと細分にある。
【００４０】
本発明によるごみ処理装置でのごみ処理過程は、低温でも、例えば７０℃以上の一層高い温度でも実施することができる。７０℃以上の温度では、失禁物品に存在するペレットが溶解する。温度が一層高いときの運転は、同時に病原菌を殺すために役立つ。一層高い温度は短時間だけ使用されるが、継続時間全体にわたっては使用されない。得られた最終製品から、例えばフィルタのような適当な装置により全ての固形物質を濾過することができ、そのときそれらの固形物質はペレット化することができる。その過程中、失禁物品の網目状に結合された領域からゲル粒子が溶解され、同様に個々のセルローズ繊維も溶解される。ドラム３０への水供給部が、水供給システムへの背圧または後戻りを避けるために設けられている。残余の材料のペレット化も含められており、すなわちプラスチックおよび／またはセルローズに関してのペレット化も含められている。
【図面の簡単な説明】
【図１】
壁カバーを取り外してあるごみ処理装置を立体的な正面図で示す。
【図２】
壁カバーを取り外してあるごみ処理装置の立体的な側面図である。
【図３】
壁カバーを取り外してあるごみ処理装置の立体的な背面図である。
【図４】
固定壁板および回転軸線長さ方向に変位可能な端面側の壁板を有する、ごみ処理装置のハウジングに配置されたドラムの概略図である。
【図５】
ごみ処理装置を一部は立面図で一部は垂直断面で示す図である。
【図６】
ごみ処理装置のハウジングに配置された固定しているかまたは回転駆動されるドラムの概略図で、前記ドラムはドラムハウジングと固定結合された端面側の壁板およびドラム回転軸線長手方向に変位可能なかつドラム回転軸線長手方向を中心として回転駆動される端面側の壁板を有し、その場合ドラムハウジングにはフラップにより閉鎖可能なごみ処理すべき材料のための取り出し開口が設けられかつドラムを支えるハウジングは閉鎖可能なドラム取り出し開口と一致する取り出し開口を有し、さらにこの取り出し開口に接続する搬送圧縮スクリュウを有して、分離されたプラスチックまたはプラスチック粒子を排出する。
【図７】
ごみ処理装置のハウジングに配置された固定するかまたは回転駆動されるドラムの概略図であり、このドラムは、ドラムハウジングと固定結合された端面側の壁板と、ドラム回転軸線長手方向に変位可能にかつドラム回転軸線長手方向を中心として回転駆動される端面側の壁板とを有し、その際ドラムハウジングにはごみ処理すべき材料のための取り出し開口が設けられかつドラムを支えるハウジングがドラム取り出し開口と一致する、フラップにより閉鎖可能な取り出し開口を有し、さらにこの取り出し開口に接続する搬送および圧縮スクリュウを有して、分離されたプラスチックまたはプラスチック粒子を排出する。
【図８】
ごみ処理装置のハウジングに配置されたドラムの概略図であり、前記ドラムはドラムハウジングと固定結合された端面側の壁板と、ドラム回転軸線長手方向に変位可能なかつドラム回転軸線長手方向を回転駆動される端面側の壁板とを有し、回転駆動される壁板はドラムの内部空間を通って延びている軸上に配置されている。
【図９】
ごみ処理装置のハウジングに配置された固定ドラムの概略図であり、この固定ドラムは、ハウジング壁により形成された端面側の壁板と、ドラム回転軸線長手方向に変位可能なかつドラム回転軸線長手方向を回転駆動される端面側の壁板とを有する。
【図１０】
ハウジングと、ドラムハウジングと固定結合された端面側の壁板を有するドラムの垂直な部分断面図であり、前記壁板には急速回転駆動される被駆動ナイフを担持する円盤が配置されている。
【符号の説明】
１０　　　　　　　ごみ処理装置
１１　　　　　　　基礎ハウジング
１２　　　　　　　デスク形ハウジング部分
２１　　　　　　　ドラム状ハウジング
２３　　　　　　　ハウジング２１の内部空間
２４　　　　　　　水平回転軸線
２５　　　　　　　第一の駆動装置
２６　　　　　　　排出接続片
３０　　　　　　　円筒状ドラム
３０ａ，３０ｂ　　ドラム開口
３１　　　　　　　ドラム内部空間
３２　　　　　　　装入開口
３３　　　　　　　第一の壁板
３４　　　　　　　第二の壁板
３５　　　　　　　第二の駆動装置
３６　　　　　　　水平なハブまたは接続片
３７　　　　　　　真空クリーナ装置
４１，４２，４３　入口
７０　　　　　　　固形成分のための吸収装置
７１　　　　　　　収集容器
８０　　　　　　　プログラム切り替え装置
１０１，１０２　　　フラップ
１０３　　　　　　　ドラム取り出し開口
１０４　　　　　　　取り出し開口
１０５　　　　　　　搬送圧縮スクリュウ
１０７　　　　　　　収集容器
１１１　　　　　　　壁板３４の運動のための駆動軸
１２１　　　　　　　円盤
２４０　　　　　　　切断、分離および粉砕ナイフ
【国際公開パンフレット】
2004514557.tif 000003
2004514557.tif 000004
2004514557.tif 000005
2004514557.tif 000006
2004514557.tif 000007
2004514557.tif 000008
2004514557.tif 000009
2004514557.tif 000010
2004514557.tif 000011
2004514557.tif 000012
2004514557.tif 000013
2004514557.tif 000014
2004514557.tif 000015
2004514557.tif 000016
2004514557.tif 000017
2004514557.tif 000018
2004514557.tif 000019
2004514557.tif 000020
2004514557.tif 000021
2004514557.tif 000022
2004514557.tif 000023
2004514557.tif 000024
2004514557.tif 000025
2004514557.tif 000026
2004514557.tif 000027
2004514557.tif 000028
2004514557.tif 000029
2004514557.tif 000030
2004514557.tif 000031
2004514557.tif 000032
2004514557.tif 000033
2004514557.tif 000034
2004514557.tif 000035
2004514557.tif 000036
2004514557.tif 000037
2004514557.tif 000038
2004514557.tif 000039
2004514557.tif 000040
2004514557.tif 000041
2004514557.tif 000042
2004514557.tif 000043
2004514557.tif 000044
2004514557.tif 000045
2004514557.tif 000046
2004514557.tif 000047
2004514557.tif 000048
2004514557.tif 000049
【国際調査報告】
2004514557.tif 000050
2004514557.tif 000051
2004514557.tif 000052
2004514557.tif 000053